(57)【要約】【課題】現金処理機の運用の安全性を確保し、運用効率を向上することができる現金処理システム実現する。【解決手段】現金処理システムが、担当者が操作して各種の業務処理を行う現金処理機と、現金処理機を操作する担当者を認証するための認証識別子を発行する認証端末とを備え、認証端末が発行した認証識別子を担当者の識別カードに書込み、この認証識別子を担当者がパスワードとして入力し、これと識別カードに書込まれた認証識別子との一致によって担当者を認証して前記現金処理機による業務処理を行い、その業務処理記録を識別カードに書込む。【選択図】        図１
2004213468.tif 000002
【特許請求の範囲】
【請求項１】
担当者が操作して各種の業務処理を行う現金処理機と、該現金処理機を操作する担当者を認証するための認証識別子を発行する認証端末とを備え、
前記認証端末が発行した認証識別子を前記担当者の識別カードに書込み、この識別カードに書込まれた認証識別子によって、前記担当者が前記現金処理機による業務処理を行うことを特徴とする現金処理システム。
【請求項２】
請求項１において、
前記認証識別子が、定期的に更新されることを特徴とする現金処理システム。
【請求項３】
請求項１または請求項２において、
前記担当者が、前記認証識別子によって現金処理機による業務処理を行う際に、前記認証識別子を認証パスワードとして入力することを特徴とする現金処理システム。
【請求項４】
請求項１、請求項２または請求項３において、
前記業務処理が終了したときに、前記現金処理機に前記認証パスワードを再入力することを特徴とする現金処理システム。
【請求項５】
請求項１から請求項３または請求項４において、
前記現金処理機が、前記業務処理の記録を前記識別カードに書込み、この書込まれた業務処理記録を前記認証端末が読込んで格納することを特徴とする現金処理システム。
【請求項６】
請求項１から請求項３または請求項４において、
前記現金処理機と前記認証端末とを接続し、前記現金処理機が業務処理の記録を認証端末へ送信し、前記認証端末が業務処理記録を格納することを特徴とする現金処理システム。
【請求項７】
現金処理機を操作する担当者を認証するための認証識別子を発行する認証端末に、
前記担当者の識別カードに発行した認証識別子を書込む認証識別子書込ステップと、
前記認証識別子を認証パスワードとして担当者に通知する認証パスワード通知ステップと、
前記識別カードに記録された、前記現金処理機による業務処理記録を読取って格納する業務処理記録格納ステップとを実行させることを特徴とする現金処理システムの認証端末のプログラム。
【請求項８】
担当者が操作して各種の業務処理を行う現金処理機に、
認証端末が発行して前記担当者の識別カードに書込まれた認証識別子を読取る認証識別子読取ステップと、
前記認証識別子を認証パスワードとしてその入力を受付ける認証パスワード受付ステップと、
前記識別カードに記録された認証識別子と入力された認証パスワードの一致によって担当者を認証する担当者認証ステップと、
前記業務処理の記録を前記識別カードに書込む業務処理記録書込ステップと、
前記業務処理が終了したときに、前記認証パスワードの再入力を受付ける認証パスワード再受付ステップとを実行させることを特徴とする現金処理システムの現金処理機のプログラム。
【発明の詳細な説明】
【０００１】
【発明の属する技術分野】
本発明は、金融機関の営業店等に設置された現金処理機による現金処理システムおよびその認証端末と現金処理機のプログラムに関する。
【０００２】
【従来の技術】
従来の現金処理機による現金処理システムにおいては、現金処理機によって入金や出金等の業務処理を行う場合には、担当者はその識別カードを現金処理機に挿入してその担当者のパスワードを入力し、これによって現金処理機が担当者を認証して業務処理を行っている。
【０００３】
また、業務処理の履歴やその取引内容等の業務処理の記録は、現金処理機が格納して保存している。
【０００４】
【発明が解決しようとする課題】
しかしながら、上述した従来の現金処理システムにおいては、近年の担当者の業務範囲の拡大や現金処理機を操作する担当者の多様性（例えばパート労働者による現金処理機の操作）等に伴って、識別カードに書込まれた担当者識別子による現金処理機を操作する担当者の認証だけでは、拾得した等の識別カードの不正使用等を防止して現金処理機の運用の安全性を確保することが困難であるという問題がある。
【０００５】
また、業務処理の記録は、現金処理機に保存されているため、現金処理機の業務処理を一時中断して蓄積した履歴等を取出して分析したり、他の端末から検索したりすることが難しく、業務処理の記録の集中管理を行うことが困難であり、現金処理システムの運用効率が低下するという問題がある。
本発明は、上記の問題点を解決するためになされたもので、現金処理機の運用の安全性を確保し、運用効率を向上することができる現金処理システム実現することを目的とする。
【０００６】
【課題を解決するための手段】
本発明は、上記課題を解決するために、現金処理システムが、担当者が操作して各種の業務処理を行う現金処理機と、該現金処理機を操作する担当者を認証するための認証識別子を発行する認証端末とを備え、前記認証端末が発行した認証識別子を前記担当者の識別カードに書込み、この識別カードに書込まれた認証識別子によって、前記担当者が前記現金処理機による業務処理を行うことを特徴とする。
【０００７】
また、現金処理機を操作する担当者を認証するための認証識別子を発行する認証端末に、前記担当者の識別カードに発行した認証識別子を書込む認証識別子書込ステップと、前記認証識別子を認証パスワードとして担当者に通知する認証パスワード通知ステップと、前記識別カードに記録された、前記現金処理機による業務処理記録を読取って格納する業務処理記録格納ステップとを実行させることを特徴とする。
【０００８】
更に、担当者が操作して各種の業務処理を行う現金処理機に、認証端末が発行して前記担当者の識別カードに書込まれた認証識別子を読取る認証識別子読取ステップと、前記認証識別子を認証パスワードとしてその入力を受付ける認証パスワード受付ステップと、前記識別カードに記録された認証識別子と入力された認証パスワードの一致によって担当者を認証する担当者認証ステップと、前記業務処理の記録を前記識別カードに書込む業務処理記録書込ステップと、前記業務処理が終了したときに、前記認証パスワードの再入力を受付ける認証パスワード再受付ステップとを実行させることを特徴とする。
【０００９】
【発明の実施の形態】
以下に、図面を参照して本発明による現金処理システムの実施の形態について説明する。
図１は実施の形態の現金処理機による業務処理を示すフローチャート、図２はその認証端末を示す斜視図、図３はその現金処理機を示す斜視図、図４はその認証識別子発行処理を示すフローチャート、図５はその業務処理記録格納処理を示すフローチャートである。
【００１０】
図２において、１は認証端末であり、金融機関の支店等に設置され、パーソナルコンピュータ等に識別カード２のカード読取書込装置３を接続して構成されている。
図３において、４は現金処理機であり、金融機関の支店等に設置され、識別カード２のカード読取書込装置５が接続されており、通常の現金処理機の機能に加えて識別カード２の読取書込機能が追加されている。
【００１１】
識別カード２は、現金処理機４を操作する担当者の認証を行うためにＩＣカードで製作されたカードである。
なお、識別カード２としてのＩＣカードは接触型のＩＣカードであってもよく、非接触型のＩＣカードであってもよい。また、識別カード２はＩＣカードに限らず、磁気ストライプに担当者識別子等を記録した磁気カードであってもよい。
【００１２】
上述した構成の作用について説明する。
本実施の形態の現金処理システムにおいて、現金処理機４を操作して入金や出金等の業務処理を行う担当者（以下、単に担当者という。）は、予め金融機関から識別カード２を支給されており、その記録部には担当者の担当者識別子や担当者パスワード等のカード情報が記録されている。
【００１３】
以下に、図１、図４、図５に示すフローチャートを用い、Ｓで示すステップに従って本実施の形態の現金処理システムの業務しょりについて説明する。
図４は、認証端末１による認証識別子発行処理を示すフローチャートである。
Ｓ１、認証端末１は、識別カード２の挿入を促す旨等を表示した初期画面を表示して待機している。
【００１４】
Ｓ２、担当者が担当者の識別カード２をカード読取書込装置３に挿入すると、これを検知した認証端末１は、カード読取書込装置３によって識別カード２のカード情報を読取る。
Ｓ３、これと並行して認証端末１は、担当者が現金処理機４の操作許可を求めるための認証識別子発行処理の入力コードや担当者が行った業務処理記録の格納を行うための業務処理記録格納処理の入力コード等を表示した処理内容入力画面を表示する。
【００１５】
担当者は、処理内容を選択して認証識別子発行処理の入力コードをキーボード等によって入力する。
なお、業務処理記録格納処理の入力コードが入力された場合は後述する。
Ｓ４、これを認識した認証端末１は、担当者の担当者パスワードの入力を促す画面を表示し、担当者は担当者パスワードをキーボード等から入力する。
【００１６】
Ｓ５、担当者パスワードの入力を認識した認証端末１は、入力された担当者パスワードと読取ったカード情報の担当者パスワードの一致を確認して担当者を認証し、現金処理機４による業務処理を許可するための認証識別子を生成し、カード読取書込装置３によって生成した認証識別子を挿入されている識別カード２のカード情報に追加して書込んで発行すると共に認証識別子を認証パスワードとして画面に表示して担当者に通知する。
【００１７】
担当者は、通知された認証パスワードを記憶またはメモ等に記録して確認操作を行う。
なお、担当者パスワードが一致しない場合には、認証端末１はステップＳ４へ戻って担当者パスワードの再入力を促す等の処理を行う。
Ｓ６、確認操作を検知した認証端末１は、表示した認証識別子を画面から消去すると共に識別カード２をカード読取書込装置３によって排出し、担当者の受取りを確認して認証識別子発行処理を終了し、ステップＳ１へ戻って初期画面を表示して待機する。
【００１８】
なお、認証識別子の構成は定期的、例えば毎日更新され、次の更新までの期間内において同一の認証識別子が他の担当者に発行されないように管理される。
この場合に、更新までの期間内においては、担当者は同じ認証識別子を用いて業務処理を行うが、認証識別子が更新された後はその認証識別子は無効となり、改めて認証端末１によって認証識別子発行処理を行い、既に書込まれている認証識別子に上書きして新たな認証識別子の発行を受ける。
【００１９】
このようにして認証識別子の発行を受けた担当者が、現金処理機４によって業務処理を行う場合の作動を図１に示すフローチャートを用いて説明する。
Ｓ１１、現金処理機４は、現金処理機４による業務処理が可能である旨や識別カード２の挿入を促す旨の待機画面を表示して待機している。
Ｓ１２、担当者が担当者の識別カード２をカード読取書込装置５に挿入すると、これを検知した現金処理機４は、カード読取書込装置５によって識別カード２の認証識別子等のカード情報を読取る。
【００２０】
Ｓ１３、これと並行して認証端末１は、認証パスワードの入力を促す旨等を表示した認証パスワード入力画面を表示する。
担当者は、記憶しているまたはメモ等に記録した認証パスワードをキーボードまたは現金処理機４の表示部のタッチパネル等によって入力する。
Ｓ１４、認証パスワードの入力を認識した現金処理機４は、入力された認証パスワードと読取ったカード情報の認証識別子の一致を確認し、一致した場合は操作者を認証端末１が認証した担当者と認証して業務処理の許可を与えステップＳ１５へ移行する。
【００２１】
認証パスワードが一致しない場合や識別カード２に有効な認証識別子が書込まれていない場合には、現金処理機４はその旨を画面に表示してステップＳ２０へ移行する。
Ｓ１５、現金処理機４は、通常の業務選択画面を表示し、担当者は業務を選択して業務処理を行う。
【００２２】
この時、現金処理機４が、識別カード２のカード情報の担当者識別子等によって予め設定されているその担当者の操作可能な業務処理のみを表示した業務選択画面を表示するようにしてもよい。
なお、業務処理の内容は通常の現金処理機４における業務処理の内容と同様であるので説明を省略する。
【００２３】
Ｓ１６、現金処理機４は、ステップ１５の業務処理の担当者の操作履歴とその日時、行った取引のログ、計数データ等の業務処理記録を順次に識別カード２へ書込む。
Ｓ１７、現金処理機４は、担当者の業務処理を終了した旨の入力を認識して業務処理終了の旨を識別カード２へ書込むと共に認証パスワードの再入力を促す旨を表示し、担当者はステップＳ１３と同様にして認証パスワードを再度入力する。
【００２４】
Ｓ１８、認証パスワードの再入力を認識した現金処理機４は、再入力された認証パスワードとカード情報の認証識別子の一致を確認し、一致した場合は業務処理完了としてステップＳ２０へ、一致しない場合はステップＳ１９へ移行する。
Ｓ１９、  現金処理機４は再入力された認証パスワードが不一致の旨の文言を画面に表示すると共に識別カード２を保持したまま業務処理を終了させ、警告音を発する等によって担当者や役席者等にその旨を通知する。
【００２５】
通知を受けた担当者や役席者等は、表示内容を確認して現金処理機４を復帰させ、識別カード２を取出して適切な処置を行う。
Ｓ２０、現金処理機４は、識別カード２をカード読取書込装置５によって排出し、担当者の受取りを確認して業務処理を終了し、ステップＳ１１へ戻って待機画面を表示して待機する。
【００２６】
なお、上記ステップＳ１６において識別カード２へ業務処理記録を順次に書込むとして説明したが、ステップＳ１７において業務処理終了の旨を識別カード２へ書込む際に、まとめて書込むようにしてもよい。
以上のようにして業務処理を終了した担当者が、認証端末１によって業務処理記録の格納を行う場合の作動を図５に示すフローチャートを用いて説明する。
【００２７】
Ｓ２１、認証端末１は、上記ステップＳ１と同様にして初期画面を表示して待機している。
Ｓ２２、認証端末１は、上記ステップＳ２と同様にして挿入された識別カード２のカード情報を読取る。
Ｓ２３、上記ステップＳ３と同様にして認証端末１が表示した処理内容入力画面から、担当者は業務処理記録格納処理の入力コードを入力する。
【００２８】
Ｓ２４、これを認識した認証端末１は、識別カード２の認証識別子等によって挿入された識別カード２の正当性を認証し、これに記録されている業務処理記録を正当なものとして識別カード２に記録されている業務処理記録を読込み、認証端末１の記録部等に格納して蓄積すると共に読取を終了した業務処理記録を削除する。
【００２９】
Ｓ２５、業務処理記録の格納等を終えた認証端末１は、識別カード２をカード読取書込装置３によって排出し、担当者の受取りを確認して業務処理記録格納処理を終了し、ステップＳ２１へ戻って初期画面を表示して待機する。
なお、現金処理機４の保守を行う保守員が、現金処理機４の修理等の保守を行う場合にも、上記と同様にして保守員の識別カード２によって認証識別子の発行を受け、これを現金処理機４に挿入して保守を行いその記録を上記と同様に認証端末１へ格納するようにしてもよい。
【００３０】
このようにして、認識端末１に一括して格納された業務処理記録は、金融機関の支店等の精査時等に計数結果の不一致があった場合の原因究明、保守員の操作実績の把握、不正操作のチェック、無資格担当者の操作有無の確認等の場合に認証端末１から業務処理記録を出力して活用される。
上記のようにして、認証識別子の発行による現金処理システムの一連の業務処理が終了する。
【００３１】
以上説明したように、本実施の形態では、認証端末により担当者識別子とは別に認証識別子を発行してこれを識別カードに書込み、これによって現金処理機が担当者を認証して業務処理の許可を与えるようにしたことによって、現金処理機を操作する担当者を限定することができ、担当者の厳格な認証を容易に行うことができるようになり、現金処理機の運用の安全性を確保することができると共に識別カードの不正使用を未然に防止することができる。
【００３２】
また、認証識別子を定期的に更新するようにしたことによって、識別カードの不正使用を防ぐことができる。
更に、現金処理機による業務処理を行う際に、認証識別子を認証パスワードとして担当者が入力するようにしたことによって、識別カードの拾得による不正使用を防止することが可能となる。
【００３３】
更に、業務処理を終了したときに再度認証パスワードを入力するようにしたことによって、業務処理を行った担当者の同一性を保障することができる。
更に、業務処理記録を識別カードに書込み、認証端末で読取って格納し、一括して管理するようにしたことによって、計数結果の不一致の原因究明や不正操作のチェックが容易に行えるようになり、現金処理システムの運用効率を向上することができる。
【００３４】
更に識別カードを媒体として認証端末に業務処理記録を格納するようにしたことによって、カード読取書込装置を設けるだけで容易に業務処理記録の一括管理を実現することが可能となる。
この場合に、店内ＬＡＮ（Ｌｏｃａｌ  Ａｒｅａ  Ｎｅｔｗｏｒｋ）によって現金処理機と認証端末とを接続し、現金処理機による業務処理記録を認証端末へ送信して格納するようにすれば、担当者の負担を軽減して現金処理機による業務処理の効率を更に向上することができると共に、識別カードの記憶容量を軽減することができ、識別カードとしての磁気カードの使用が容易になる。
【００３５】
【発明の効果】
以上述べたように、本発明は、認証端末により担当者識別子とは別に認証識別子を発行してこれを識別カードに書込み、これによって現金処理機が担当者を認証して業務処理の許可を与えるようにしたことによって、現金処理機を操作する担当者を限定することができ、担当者の厳格な認証を容易に行うことができるようになり、現金処理機の運用の安全性を確保することができると共に識別カードの不正使用を未然に防止することができるという効果が得られる。
【図面の簡単な説明】
【図１】実施の形態の現金処理機による業務処理を示すフローチャート
【図２】実施の形態の認証端末を示す斜視図
【図３】実施の形態の現金処理機を示す斜視図
【図４】実施の形態の認証識別子発行処理を示すフローチャート
【図５】実施の形態の業務処理記録格納処理を示すフローチャート
【符号の説明】
１    認証端末
２    識別カード
３    カード読取書込装置
４    現金処理機
５    カード読取書込装置
【図１】
2004213468.tif 000003
【図２】
2004213468.tif 000004
【図３】
2004213468.tif 000005
【図４】
2004213468.tif 000006
【図５】
2004213468.tif 000007